(57)【要約】【課題】  従来技術では、色材受容可能量の判定パターンに用いるインク打ち込み量の範囲に制限が無く、大量のテストパターンを印刷する必要があった。また、複数の様々なパターンを組み合わせてテストパターンを作成するため、判定の際に、判定に関する専門的な知識を必要とし、かつ、多くの手間が掛かった。そのため、印刷媒体の色材受容可能量に関する専門的な知識の少ないユーザが対応するカラープロファイルの無い、好みの印刷媒体で印刷する場合に最適な色材量による印刷結果を得ることができないという問題があった。【解決手段】  上記課題を解決するために本発明の情報処理方法は以下の構成からなる。  すなわち、印刷媒体の特性を取得する特性取得工程と、前記印刷媒体の特性に対応する基本情報を取得する基本情報取得工程と、前記基本情報に基づき、それぞれ総色材量が異なる複数の画像を出力する画像出力工程とを有することを特徴とする。【選択図】  図１
2008037003.tif 000002
【特許請求の範囲】
【請求項１】
印刷媒体の特性を取得する特性取得工程と、
前記印刷媒体の特性に対応する基本情報を取得する基本情報取得工程と、
前記基本情報に基づき、それぞれ総色材量が異なる複数の画像を出力する画像出力工程と
を有することを特徴とする情報処理方法。
【請求項２】
前記印刷媒体の特性は、種類であることを特徴とする請求項１記載の情報処理方法。
【請求項３】
前記種類は、光沢紙、半光沢紙、コート紙、アート紙のうち少なくとも１つの紙種を含むことを特徴とする請求項２記載の情報処理方法。
【請求項４】
前記印刷媒体の特性は、それぞれの特性ごとに色材受容可能量が異なることを特徴とする請求項１乃至３のいずれかに記載の情報処理方法。
【請求項５】
前記基本情報は、前記印刷媒体の特性に対応する色材受容可能量を含むことを特徴とする請求項１乃至４のいずれかに記載の情報処理方法。
【請求項６】
更に、前記出力された複数の画像を印刷媒体に印刷する印刷工程を含むことを特徴とする請求項１乃至５のいずれかに記載の情報処理方法。
【請求項７】
前記印刷媒体は印刷するための色材が異なることを特徴とする請求項６に記載の情報処理方法。
【請求項８】
前記複数の画像は、前記基本情報の色材受容可能量に基づく最大色材量を軸として、幅を持って前記総色材量を異ならせることで各画像が生成されることを特徴とする請求項１乃至７のいずれかに記載の情報処理方法。
【請求項９】
前記総色材量は、前記幅で段階的に異なることを特徴とする請求項８記載の情報処理方法。
【請求項１０】
前記複数の画像は複数の印刷部分を有し、該印刷部分間に間隙を有することを特徴とする請求項１乃至９のいずれかに記載の情報処理方法。
【請求項１１】
前記間隙は非印刷部分であることを特徴とする請求項１０に記載の情報処理方法。
【請求項１２】
前記間隙の幅は任意に設定可能であることを特徴とする請求項１０乃至１１のいずれかに記載の情報処理方法。
【請求項１３】
前記間隙の幅は、前記印刷媒体の特性と前記画像を印刷するための色材の種類との組み合わせによって設定されることを特徴とする請求項１０乃至１２のいずれかに記載の情報処理方法。
【請求項１４】
前記出力工程は、前記印刷部分が線状であり、それぞれに解像度が異なる前記画像を、さらに複数出力することを特徴とする請求項１０乃至１３のいずれかに記載の情報処理方法。
【請求項１５】
前記複数の画像は色材の集結による粒状度を測るためのべた状の画像であることを特徴とする請求項１乃至９のいずれかに記載の情報処理方法。
【請求項１６】
前記べた状の画像は前記印刷媒体と前記べた状の画像を印刷するための色材との組み合わせによって異なる複数の画像を含むことを特徴とする請求項１５に記載の情報処理方法。
【請求項１７】
それぞれ総色材量が異なる複数の画像を生成する画像生成工程と、
前記複数の画像を印刷装置に出力する出力工程と
を有し、
前記画像は複数の印刷部分を有し、該印刷部分間に間隙を有することを特徴とする情報処理方法。
【請求項１８】
前記間隙は非印刷部分であることを特徴とする請求項１７に記載の情報処理方法。
【請求項１９】
前記間隙の幅は任意に設定可能であることを特徴とする請求項１７乃至１８のいずれかに記載の情報処理方法。
【請求項２０】
前記間隙の幅は、前記印刷媒体の特性と前記画像を出力するための色材の種類との組み合わせによって設定されることを特徴とする請求項１７乃至１９のいずれかに記載の情報処理方法。
【請求項２１】
前記出力工程は、前記印刷部分が線状であり、それぞれに解像度が異なる前記画像を、さらに複数出力することを特徴とする請求項１７乃至２０のいずれかに記載の情報処理方法。
【請求項２２】
印刷媒体の特性を取得する特性取得手段と、
前記印刷媒体の特性に対応する基本情報を取得する基本情報取得手段と、
前記基本情報に基づき、それぞれの総色材量が異なる複数の画像を出力する画像出力手段と、
を有することを特徴とする情報処理装置。
【請求項２３】
それぞれ総色材量が異なる複数の画像を生成する画像生成手段と、
前記複数の画像を印刷装置に出力する出力手段と
を有し、
前記画像は複数の印刷部分を有し、該印刷部分間に間隙を有することを特徴とする情報処理装置。
【請求項２４】
印刷媒体の特性を取得する特性取得ステップと、
前記印刷媒体の特性に対応する基本情報を取得する基本情報取得ステップと、
前記基本情報に基づき、それぞれの総色材量が異なる複数の画像を出力する画像出力ステップと、
を有することを特徴とする情報処理装置読み取り可能な情報処理プログラム。
【請求項２５】
それぞれ総色材量が異なる複数の画像を生成する画像生成ステップと、
前記複数の画像を印刷装置に出力する出力ステップと
を有し、
前記画像は複数の印刷部分を有し、該印刷部分間に間隙を有することを特徴とする情報処理装置読み取り可能な情報処理プログラム。
【請求項２６】
請求項２４記載のコンピュータプログラムを記録した情報処理装置読み取り可能な記録媒体。
【請求項２７】
請求項２５記載のコンピュータプログラムを記録した情報処理装置読み取り可能な記録媒体。
【発明の詳細な説明】
【技術分野】
【０００１】
本発明は、情報処理装置、方法、プログラムおよびプログラムを記録した情報処理装置に読み取り可能な記録媒体に関し、特に印刷媒体の色材受容可能量を判定するための画像を出力する情報処理技術に関する。
【背景技術】
【０００２】
一般に、印刷装置が、ある印刷媒体に対応するカラープロファイルを保持していない場合、その印刷媒体に対する最適な色材量に応じた印刷を行うことができず、正常な印刷結果を得ることができない。そのため、印刷媒体に依存した色材受容可能量が適切に設定され、カラープロファイルはその範囲内で作成されなければならないことが知られている。
【０００３】
このような状況に係る技術として、以下の特許文献１に示すものが提案されている。特許文献１には、印刷装置が、ある印刷媒体に対応するカラープロファイルを保持していない場合でも、その印刷媒体に対する最適な色材量に応じた印刷を行うため、インク打ち込み量を判定するテストパターンを形成する技術が記載されている（特許文献１参照）。
【特許文献１】特開２００４−３３４９３４号公報
【発明の開示】
【発明が解決しようとする課題】
【０００４】
しかしながら、上記公報に開示された方法は、色材受容可能量の判定に用いるインク打ち込み量の範囲に制限が無く、大量のテストパターンを印刷する必要があった。また、複数の様々なパターンを組み合わせてテストパターンを作成するため、判定の際に、判定に関する専門的な知識を必要とし、かつ、多くの手間が掛かった。そのため、印刷媒体の色材受容可能量に関する専門的な知識の少ないユーザが対応するカラープロファイルの無い、好みの印刷媒体で印刷する場合に最適な色材量による印刷結果を得ることができないという問題があった。
【０００５】
そこで本発明では、このような状況に鑑み、プロファイルの無い印刷媒体に対して、印刷媒体の色材受容可能量に関する専門的な知識の少ないユーザであっても、容易で効率的に適切な色材受容可能量の判定を可能とすることを目的とする。
【課題を解決するための手段】
【０００６】
上記課題を解決するために、本発明の情報処理方法は、印刷媒体の特性を取得する特性取得工程と、前記印刷媒体の特性に対応する基本情報を取得する基本情報取得工程と、前記基本情報に基づき、それぞれ総色材量が異なる複数の画像を出力する画像出力工程とを有することを特徴とする。
【０００７】
また、本発明の情報処理方法は、それぞれ総色材量が異なる複数の画像を生成する画像生成工程と、前記画像を印刷装置に出力する出力工程とを有し、前記画像は複数の印刷部分を有し、該印刷部分間に間隙を有することを特徴とする。
【０００８】
また、本発明の情報処理装置は、印刷媒体の特性を取得する特性取得手段と、前記印刷媒体の特性に対応する基本情報を取得する基本情報取得手段と、前記基本情報に基づき、それぞれの総色材量が異なる複数の画像を出力する画像出力手段とを有することを特徴とする。
【０００９】
また、本発明の情報処理装置は、それぞれ総色材量が異なる複数の画像を生成する画像生成手段と、前記複数の画像を印刷装置に出力する出力手段とを有し、前記画像は複数の印刷部分を有し、該印刷部分間に間隙を有することを特徴とする。
【００１０】
また、本発明の情報処理装置読み取り可能な情報処理プログラムは、印刷媒体の特性を取得する特性取得ステップと、前記印刷媒体の特性に対応する基本情報を取得する基本情報取得ステップと、前記基本情報に基づき、それぞれの総色材量が異なる複数の画像を出力する画像出力ステップとを有することを特徴とする。
【００１１】
また、本発明の情報処理装置読み取り可能な情報処理プログラムは、それぞれ総色材量が異なる複数の画像を生成する画像生成ステップと、前記複数の画像を印刷装置に出力する出力ステップとを有し、前記画像は複数の印刷部分を有し、該印刷部分間に間隙を有することを特徴とする。
【発明の効果】
【００１２】
本発明により、プロファイルの無い印刷媒体に対して、印刷媒体の色材受容可能量に関する専門的な知識の少ないユーザであっても、容易で効率的に適切な色材受容可能量の判定を可能となる。
【発明を実施するための最良の形態】
【００１３】
以下、添付図面を参照して、本発明に係る実施の形態を詳細に説明する。
【００１４】
（第１の実施形態）
本実施形態である印刷装置の一例であるカラープリンタを用いた情報処理システムの構成図を図１に示す。ここで、最大色材量とは紙などの印刷媒体がインクやトナーなどの色材を受容可能な量の最大値である。
【００１５】
本実施形態である情報処理システムは、印刷媒体カテゴリ取得手段１０１、基本情報取得手段１０２、総色材量判定パッチ発生手段１０３、最大色材量取得手段１０４を含む。印刷媒体カテゴリ取得手段１０１は、任意の印刷媒体の、例えば光沢紙、半光沢紙、コート紙、アート紙等の印刷媒体の種類を表すカテゴリを取得する。基本情報取得手段１０２は、２値化処理パラメータ・最大色材量などの基本情報を取得する。総色材量判定パッチ発生手段１０３は、上記任意印刷媒体の最大色材量を判定するための画像であるパッチを出力する。最大色材量取得手段１０４は、上記パッチを用いて前記任意印刷媒体の最大色材量を取得する。
【００１６】
図２は、本実施形態の一例となる情報処理システムの構成全体をあらわしている。同図において、２０１は画像入力装置としてのスキャナ、２０２はコンピュータシステムであり、スキャナ２０１から読み取られた画像をコンピュータシステム２０２で入力し、編集・保管することが可能である。さらに得られた画像をディスプレイ２０３、または、プリンタ２０４に出力することが可能である。
【００１７】
図３は、図２の構成における主要部を機能モジュールとして表現したブロック図である。なお、前述の図面と対応するモジュールは同じ符号で表す。同図において、３１３は、ユーザが各種マニュアル指示等を入力するためのマウス及びキーボードである。３０３は、各ブロックの動作を制御あるいは内部に記憶されたプログラムを実行することのできるＣＰＵである。３０４は、あらかじめ必要な画像処理等を記憶しておくＲＯＭである。３０５はＣＰＵにて処理を行うために一時的にプログラムや処理対象の画像データを格納しておくＲＡＭである。３０８は、ＲＡＭ３０５等に転送されるプログラムや画像データや処理後の画像データを保存することのできるハードディスク（以下、ＨＤと表記する）である。３１０は、外部記憶媒体の一つであるコンパクトディスク（ＣＤ−Ｒ／ＣＤ−ＲＷ／ＤＶＤなどであり、以下、ＣＤと表記する）に記憶されたデータを読み込み、或いは書き出すことのできるＣＤドライブである。なお、ＣＤ等に画像編集用のプログラム、或いはプリンタ情報等が記憶されている場合には、これらのプログラムをＨＤ３０８上にインストールし、必要に応じてＲＡＭ３０５に転送されるようになっている。
【００１８】
図４は、図２及び図３に示した構成上で、本実施形態の処理の流れを示すフローチャートである。図４のフローチャートに示す手順を記述したコンピュータ実行可能なプログラムを、あらかじめＲＯＭ３０４に格納しておく。あるいは、外部記憶装置３０８のプログラムをＲＡＭ３０５上に読み込んでおき、ＣＰＵ３０３により読み込んだプログラムを実行することで本発明を実施する。
【００１９】
以下に、本実施の形態における処理の流れを図４に示すフローチャートを用いて説明する。まず、ステップＳ４０１において、印刷媒体のカテゴリを取得する。この印刷媒体カテゴリの取得は、例えば図１１に示すようなプログラム上のユーザインターフェースを介して、ユーザが目視で印刷媒体種を判別し、そのカテゴリをリストの中から選択する。取得した印刷媒体種は、ＲＡＭ３０５に記憶される。
【００２０】
次に、ステップＳ４０２においては、ステップＳ４０１において判別された印刷媒体種及び出力機器であるプリンタ２０４の機種情報を基に、プリンタ２０４のドライバ情報に対して検索を行う。検索したドライバ情報の中から、上記印刷媒体カテゴリ及び出力するプリンタ２０４に対応する基本情報を取得する。取得した基本情報はＲＡＭ３０５、基本情報の容量が大きい場合には、ＨＤ３０８などに記憶される。
【００２１】
ステップＳ４０３においては、ステップＳ４０２で取得された基本情報を基に、総色材量判定パッチを発生・生成し、プリンタ２０４でユーザが出力したい任意の印刷媒体上に出力する。この総色材量判定パッチは、例えば図５に図示されるような、任意の幅で図中色材量１から５のように段階的に異なる総色材量を持つ複数の画像を含む。さらに各画像は、線状の印刷部分と非印刷部分である間隙部分とが直線状に交互に存在するように、解像度（線数）を変えた印刷領域を複数持つように印刷したものである。判定を容易にするため、それぞれの印刷部分は印刷領域内で同一の解像度とする。複数の画像は、基本情報の最大色材量を任意の幅の中心とし、この中心を軸とした任意の幅を段階的に等間隔に分け、２値化処理パラメータを用いることで段階ごとに色材量を異ならせ、複数の色材量を画像として発生させることで生成される。段階的に異なる複数の色材量で画像を生成することで、比較がしやすくなり、最大色材量の判定が容易になる。なお、ここで生成・出力される総色材量判定パッチは、図５に示されるようなパッチに限らず、例えば図１０に示すような、段階的に異なる複数の総色材量で、十字に非印刷部分を持つ画像を出力してもよい。ここで、図５又は図１０に示されるパッチの印刷部分と非印刷部分のそれぞれの幅は任意に設定が可能とする。その設定方法としては、ステップＳ４０１で取得される印刷媒体カテゴリ及びステップＳ４０２において取得される基本情報を基に、印刷媒体カテゴリと色材種とその組み合わせにより設定されるようにする。例えば、インクの滲みが大きくなる組み合わせでは間隔を広げる等の処理が行われ、プリンタの処理解像度を参照しながら設定される。
【００２２】
更には、総色材量を判定するパッチ形状として、図１２に示す様なパッチであっても良い。図１２に示されるパッチは、総色材量を異ならせて、複数種類の色材を組み合わせて出力したべた状のパッチである。このパッチにより、印刷媒体が色材を受容できないことによりべた状のパッチ上で発生する、色材の集結による粒状度の悪化を観察することが可能である。図１２に示すパッチを出力する際の色材の組み合わせ方法は、印刷媒体と色材の組み合わせによる受容（浸透）速度に基づき、例えば速度の遅い色材を優先的に使用するなどとする。また、ステップＳ４０２において取得される機種ごとの基本情報に、各色材の粘土・印刷媒体種毎の受容（浸透）速度のうち少なくとも一つの情報を含ませておき、その情報に基づいて決定させてもよい。
【００２３】
上記のように構成された各パッチの種類は、各パッチを組み合わせて一枚の画像にして出力するような構成にして良いのは言うまでもなく、例を図１３に示す。ここで、パッチの組み合わせや配置は自由に変更しても良い。
【００２４】
次に、ステップＳ４０４においては、ステップＳ４０３において出力された総色材量判定パッチをもとに、ユーザが出力したい任意の印刷媒体に対する最大色材量が入力される。ユーザは出力結果から最大色材量を読み取り、キーボードおよびマウス３１３を用いて入力する。ここで、例えば図１０に示されるパッチを用いて最大色材量を説明すると、最大色材量は十字に配された非印刷部分をはっきりと判別できる画像の色材量である。また、入力する際には、十字の画像がどの程度つぶれているかの指標を準備しておくとなお良く、その指標の中に、テキストを印字する場合と写真を印刷する場合のつぶれ具合を区別してあっても良い。
【００２５】
ステップＳ４０４を終えると、一連の処理を終了する。
【００２６】
以上説明した処理制御を行うことで、印刷装置に関する専門的な知識の少ないユーザにとってオペレーションが容易であり、かつ、ドライバの対応から外れた印刷媒体に対しても、最適な印刷結果が得られる最大色材量の判定を行うことが可能となる。
【００２７】
なお、本実施形態では、ステップＳ４０１において、ユーザが目視で印刷媒体種を判別したが、印刷媒体に限らず、光沢度計・分光反射率計・顕微鏡等に代表される印刷媒体表面の特性を数値に変換できるセンサで計測して印刷媒体の特性を取得しても良い。その取得した特性を基にシステムが自動的に判別することで本発明を実現しても同様の効果を得ることができる。
【００２８】
また、ステップＳ４０２において、基本情報の取得先としては、コンピュータシステム２０２内に搭載されたドライバに限らず、ＣＤ３１０などの外部記憶媒体から取得しても良い。また、コンピュータシステム２０２からステップＳ４０１で得られた印刷媒体種及び出力機器であるプリンタ２０４の機種情報を送信し、その結果を取得しても良い。さらに、この印刷画像は、コンピュータシステム２０２で生成するに限らず、ＣＤ３１０などの外部記憶媒体などを介して取得しても良い。
【００２９】
また、ステップＳ４０３における総色材量は、最大色材量を幅の中心として定めたが、その際に軸の中心を任意にずらして設定しても良い。また、総色材量判定パッチの総色材量種を４種として示したが、これに限らないのは言うまでもない。また、間隙は非印刷部分で無くとも良く、印刷媒体に対して色材を使わない処理を行った部分であっても良い。
【００３０】
また、ステップＳ４０４における最大色材量判定は自動で行っても良く、例えば印刷されたパッチ画像をスキャナ２０１等により読み取り、十字の非印刷部分を抽出した後、判定に使用しても良い。さらには、特に図示はしないＣＣＤなどのセンサをプリンタ２０４に搭載するなどして、図５に示すパッチを読み込んだ後に、各色材量に対する鮮鋭度データを作成し、鮮鋭度データに基づいて最大色材量を自動で判定するようにしても良い。また、その際の判定基準は、印刷する対象がテキストであるか写真であるか等によって変更しても良く、例えばテキスト・写真それぞれに各解像度での閾値を持っておいても、テキスト・写真それぞれの評価する解像度を変えても良い。判定基準を変えることで出力したい画像ごとに最適な最大色材量を判定することが可能となる。
【００３１】
また、図１２に示される色材の組み合わせによるべたパッチの場合には、オペレータが各パッチを目視で確認した際の粒状感を粒状度として入力するようにしても良い。スキャナ・ＣＣＤセンサで撮像した画像に対して粒状度を算出し、あらかじめ定められた閾値を超えたか否かを判断しても良い。
【００３２】
（第２の実施形態）
第１の実施形態では、ステップＳ４０４において最大色材量が判定されると一連の処理を終了する方法について説明した。本実施形態においては、Ｓ４０２において取得される基本情報に、既存の色分解ルックアップテーブル（以下、ＬＵＴと表記する）を入れておき、ステップＳ４０４において判定された最大色材量を基に、色分解ＬＵＴを作成する処理を加える態様について説明する。
【００３３】
本実施形態のカラープリンタにおける色分解ＬＵＴ修正システムの構成を図６を用いて、前述の実施形態と異なる箇所を説明する。基本情報取得手段６０２は、前述の実施形態における基本情報に加えて色分解ＬＵＴを取得する。既存ＬＵＴ検索手段６０５は、取得された色分解ＬＵＴから最大色材量取得手段６０４により取得された最大色材量内で最適な色分解ＬＵＴを作成するために利用可能なＬＵＴを検索する。新規ＬＵＴ生成手段６０６は、既存ＬＵＴ検索手段６０５により検索されたＬＵＴを基に新規にＬＵＴを作成する。
【００３４】
次に、本実施形態におけるカラープリンタにおける色分解ＬＵＴ修正システムの処理の流れについて、前述の実施形態と異なる箇所を図７に示すフローチャートを用いて説明する。
【００３５】
ステップＳ７０５では、ステップＳ７０４において判定された最大色材量をもとに、既存のＬＵＴから総色材量の合致する又は近いＬＵＴを１つまたは２つ検索する。ここで、検索処理の詳細について、図８及び図９を用いて説明する。図８は、既存のＬＵＴとして、コンピュータシステム２０２内に組み込まれたドライバの中に、例えば総色材量１８０のＬＵＴは存在し、総色材量２００のＬＵＴは存在しないことを示している。ステップＳ７０４において入力された最大色材量が例えば“２２０”であった場合には“２２０”のテーブルを検索し、“２１０”であった場合には、“２００”のＬＵＴと“２２０”のＬＵＴのいずれか一つ又は双方を検索し、“２５０”であった場合には、“２４０”のＬＵＴを検索する。ここで、総色材量２００とは、例えばカラープリンタにおいて、各色材の印刷可能な最大量を１００として表される指標である。なお、総色材量の表し方はこれに限るものではなく、各色材の印刷可能な最大量の合計値を表すことができれば良い。
【００３６】
また、図９は、既存のＬＵＴとして、例えば光沢紙系の印刷媒体であれば、例えば総色材量１８０のＬＵＴは存在し、総色材量２００のＬＵＴは存在しないことを示している。検索されたＬＵＴの情報はＲＯＭ３０４に記憶されるか、容量が大きい場合には、ＨＤ３０８などに記憶される。
【００３７】
ステップＳ７０６においては、ステップＳ７０５において検索されたＬＵＴを元に、ステップＳ７０３において出力に使用された任意印刷媒体に対して最適なＬＵＴを生成する。このＬＵＴの生成において、ステップＳ７０５において検索されたＬＵＴが２種であった場合には、各既存ＬＵＴの最大色材量とステップＳ７０４において入力された、ターゲットとなる任意印刷媒体の最大色材量をもとに補間処理を行う。また、一つであった場合には、ＬＵＴの等倍処理を行う。処理されたＬＵＴは、プリンタドライバが使用できるように設定されたうえで、ＲＯＭ３０４またはＨＤ３０８に記憶され、処理を終える。ステップＳ７０６を終えると一連の処理を終える。
【００３８】
以上により、印刷装置に関する専門的な知識の少ないユーザにとってオペレーションが容易であり、かつ、ドライバの対応から外れた印刷媒体に対しても、最適な印刷結果を得られる最大色材量の判定が可能となる。
【００３９】
なお、既存ＬＵＴはＣＤ３１０などの外部記憶媒体として配布されていても、図示しないネットワークを介して取得されても、またはその組み合わせで取得されても本発明の効果を得ることができる。
【００４０】
（第３の実施形態）
前述の実施形態において、全ての処理はローカルのコンピュータ２０２において行われていたが、本発明はこれに限るものではなく、各処理をホストコンピュータとローカルコンピュータとで分割してもよい。
【００４１】
第２の実施形態で示した図７のフローチャートを用いて本実施形態を説明する。
【００４２】
ローカルコンピュータにおいては、ステップＳ７０１の印刷媒体カテゴリの入力やＳ７０３の一部であるパッチの印字及び、ステップＳ７０４の最大色材量の入力を行い、他の処理はホストコンピュータで行う構成にしても良い。この際、ホストコンピュータとローカルコンピュータとの通信にはインターネット等の通信網を使い、各処理を行った後、作成されたＬＵＴをローカルコンピュータ２０２に設定するようにすれば良い。
【００４３】
（その他の実施形態）
本発明は上記実施形態を実現する為の装置及び方法のみに限定されるものではない。
【００４４】
前述した実施形態の機能をソフトウェアによって実現してもよい。この場合、ソフトウェアのプログラムコードを記録した記憶媒体（または記録媒体）をシステムあるいは装置に供給する。そのシステムあるいは装置のコンピュータ（またはＣＰＵやＭＰＵ）は、記憶媒体に格納されたプログラムコードを読み出し実行する。本発明を上記記憶媒体に適用する場合、その記憶媒体には、先に説明した図４、図７のフローチャートに対応するプログラムコードが格納されることになる。
【００４５】
また、本実施例では記憶媒体に格納されたプログラムコードが読み出され、前述の実施例が実施されるが、コンピュータ上で稼働しているオペレーティングシステム（ＯＳ）などが実際の処理の一部または全部を行う場合も含まれることは言うまでもない。
【００４６】
さらに、プログラムコードが、コンピュータに挿入された機能拡張カードやコンピュータに接続された機能拡張ユニットに備わるメモリに書込まれていてもよい。このプログラムコードの指示に基づき、機能拡張カードや機能拡張ユニットに備わるＣＰＵなどが実際の処理の一部または全部を行い、その処理によって前述した実施形態の機能が実現される場合も含まれることは言うまでもない。
【００４７】
また、上記の全ての方法を複数組み合わせても良い。
【図面の簡単な説明】
【００４８】
【図１】第１の実施形態における情報処理システムの概略を示す構成図
【図２】第１の実施形態における情報処理システムの構成全体を示す構成図
【図３】図２に示す情報処理システムの各モジュールの構成を示す図
【図４】第１の実施形態における情報処理システムの動作を示すフローチャート
【図５】総色材量判定パッチの形状を示す図
【図６】第２の実施形態における情報処理システムの概略を示す構成図
【図７】第２の実施形態における情報処理の動作を示すフローチャート
【図８】第２の実施形態における既存ＬＵＴの検索方法を説明する構成図
【図９】第２の実施形態における既存ＬＵＴの検索方法を説明する構成図
【図１０】総色材量判定パッチの形状を示す図
【図１１】本発明の実施形態におけるユーザインターフェースの画面を示す図
【図１２】総色材量判定パッチの形状を示す図
【図１３】総色材量判定パッチの形状を示す図
【符号の説明】
【００４９】
２０１  スキャナ
２０２  コンピュータシステム
２０３  ディスプレイ
２０４  プリンタ
３０３  ＣＰＵ
３０４  ＲＯＭ
３０５  ＲＡＭ
３０８  ＨＤ
【図１】
2008037003.tif 000003
【図２】
2008037003.tif 000004
【図３】
2008037003.tif 000005
【図４】
2008037003.tif 000006
【図５】
2008037003.tif 000007
【図６】
2008037003.tif 000008
【図７】
2008037003.tif 000009
【図８】
2008037003.tif 000010
【図９】
2008037003.tif 000011
【図１０】
2008037003.tif 000012
【図１１】
2008037003.tif 000013
【図１２】
2008037003.tif 000014
【図１３】
2008037003.tif 000015